(57)【要約】【課題】タッチパネルディスプレイを備えた情報機器において、ユーザが片手で操作しているときの保持状態に合わせて、ユーザが押下しやすい位置にアイコンやリスト等を配置する。【解決手段】本発明の情報機器は、タッチパネルディスプレイと、前記タッチパネルディスプレイの操作情報を取得する操作情報取得手段と、前記操作情報から前記タッチパネルディスプレイ上の座標に依存しない操作が行われたことを判別する操作判別手段と、前記座標に依存しない操作が行われた前記タッチパネルディスプレイ上の領域に関しての操作履歴を記憶する操作履歴記憶手段と、前記操作履歴に基づいて前記タッチパネルディスプレイの表示を制御する表示制御手段と、を備える。【選択図】図１
2014149555.tif 000002
【特許請求の範囲】
【請求項１】
タッチパネルディスプレイと、
前記タッチパネルディスプレイの操作情報を取得する操作情報取得手段と、
前記操作情報から前記タッチパネルディスプレイ上の座標に依存しない操作が行われたことを判別する操作判別手段と、
前記座標に依存しない操作が行われた前記タッチパネルディスプレイ上の領域に関しての操作履歴を記憶する操作履歴記憶手段と、
前記操作履歴に基づいて前記タッチパネルディスプレイの表示を制御する表示制御手段と、
を備えた情報機器
【請求項２】
前記タッチパネルディスプレイに表示される表示項目の利用頻度を検出する利用頻度検出手段を備え、
前記表示制御手段は、前記操作履歴に基づいて使用頻度の高い前記タッチパネルディスプレイ上の領域に前記利用頻度の高い表示項目を表示させる請求項１記載の情報機器。
【請求項３】
前記表示制御手段は、前記表示項目をリスト状もしくはグリッド状に配置して表示させる請求項２記載の情報機器。
【請求項４】
前記座標に依存しない操作はフリック操作である請求項１から請求項３のいずれかに記載の情報機器。
【請求項５】
タッチパネルディスプレイの操作情報を取得するステップと、
前記操作情報から前記タッチパネルディスプレイ上の座標に依存しない操作が行われたことを判別するステップと、
前記座標に依存しない操作が行われた前記タッチパネルディスプレイ上の領域に関しての操作履歴を記憶するステップと、
前記操作履歴に基づいて前記タッチパネルディスプレイの表示を制御するステップと、
からなる表示制御方法。
【発明の詳細な説明】
【技術分野】
【０００１】
本発明は、タッチパネルディスプレイを備えた情報機器に関するものである。
【背景技術】
【０００２】
タッチパネルディスプレイを備えた情報機器を片手で操作する際の操作性を向上させる技術として、特許文献１には、タッチパネルディスプレイ上でユーザの指が届く範囲に操作を必要とするアイコンを配置する技術が開示されている。
【先行技術文献】
【特許文献】
【０００３】
【特許文献１】特開２０１０−１４６０３２号公報
【発明の概要】
【発明が解決しようとする課題】
【０００４】
しかしながら、特許文献１に記載の技術では、指の届く範囲の検出方法として、指の先を連続的に移動させることで指が届く範囲の検出を行っているため、ユーザが片手で操作しているかどうかの判別をすることができず、ユーザの保持状態によっては適切な位置にアイコンを配置することが難しかった。
【０００５】
本発明の情報機器は、前記従来技術の課題を解決するものであり、片手で操作している可能性の高いフリック操作のような、タッチパネルディスプレイ上の座標に依存しない操作が行われた領域を検出し、当該領域に利用頻度の高いアイコンやリスト等の表示項目を配置することで、ユーザが片手で操作をしているときの保持状態に合わせて、ユーザが押下しやすい位置に表示項目を配置することを目的とする。
【課題を解決するための手段】
【０００６】
本発明の情報機器は、タッチパネルディスプレイと、前記タッチパネルディスプレイの操作情報を取得する操作情報取得手段と、前記操作情報から前記タッチパネルディスプレイ上の座標に依存しない操作が行われたことを判別する操作判別手段と、前記座標に依存しない操作が行われた前記タッチパネルディスプレイ上の領域に関しての操作履歴を記憶する操作履歴記憶手段と、前記操作履歴に基づいて前記タッチパネルディスプレイの表示を制御する表示制御手段と、を備える構成となっている。
【発明の効果】
【０００７】
本発明の情報機器によれば、ユーザが片手で操作しているときの保持状態に合わせて、ユーザが押下しやすい位置にアイコンやリスト等の表示項目を配置することが可能となり、操作性の高いユーザインターフェースをタッチパネルディスプレイに表示することができる。
【図面の簡単な説明】
【０００８】
【図１】本発明の実施の形態における情報機器の構成を示すブロック図
【図２】本発明の実施の形態における情報機器の操作履歴情報を示す図
【図３】本発明の実施の形態における情報機器の表示項目情報を示す図
【図４】本発明の実施の形態における情報機器が実施する操作履歴記憶アルゴリズムを示すフローチャート
【図５】本発明の実施の形態における情報機器が実施する表示アルゴリズムを示すフローチャート
【図６】本発明の実施の形態における情報機器が表示項目をリスト形式で表示した場合の画面例を示す図
【発明を実施するための形態】
【０００９】
以下本発明を実施するための形態について、図面を参照しながら説明する。
【００１０】
本発明の実施の形態における情報機器の構成図を図１に示す。図１において、本実施の形態における情報機器は、タッチパネルディスプレイ１１と、操作情報取得部１２と、操作判別部１３と、操作履歴記憶部１４と、表示制御部１５と、利用頻度検出部１６とを有する構成である。
【００１１】
タッチパネルディスプレイ１１は、表示装置（例えば、液晶ディスプレイや有機ＥＬディスプレイなど）と、利用者が押下した位置を検出するセンサによって構成され、そのセンサによって検出された信号を、操作情報取得部１２に出力する。また、表示制御部１５からの要求に従って、表示装置に表示する。
【００１２】
操作情報取得部１２は、タッチパネルディスプレイ１１から信号を受けると、押下状態と押下位置の座標を算出し、操作判別部１３に通知する。
【００１３】
操作判別部１３は、操作情報取得部１２から通知された押下状態と押下位置の座標から、操作（例えば、タッチ操作、フリック操作など）を判別し、フリック操作の場合は、フリック操作が行われた範囲の平均座標を算出し、算出結果を含む操作履歴情報を操作履歴記憶部１４に送出する。
【００１４】
操作履歴記憶部１４は、フリック操作が行われた領域の平均座標の履歴が記述されている操作履歴情報が記憶されている。操作履歴記憶部１４は、表示制御部１５から操作履歴情報取得要求を受けると、表示制御部１５に対して操作履歴情報を送出する。
【００１５】
表示制御部１５はアイコン表示やリスト表示を行う際に、アイコンやリスト項目の表示項目と表示項目に関連づいた利用頻度情報を利用頻度検出部１６より取得する。また、操作履歴記憶部１４から操作履歴情報を取得し、過去にフリック操作が行われた座標の平均座標を算出する。そして、フリック操作が行われた座標の平均座標と表示項目の利用頻度情報を用いて表示項目の表示位置を決定し、タッチパネルディスプレイ１１に表示要求を行う。
【００１６】
利用頻度検出部１６は、表示項目と表示項目の選択回数のリストが記述されている利用頻度情報が記憶されている。利用頻度検出部１６は、表示制御部１５から表示項目取得要求を受けると、表示制御部１５に対して利用頻度情報を送出する。
【００１７】
図２は、本発明の実施の形態における、操作履歴記憶部１４に記憶されている操作履歴情報を示す図である。操作履歴記憶部１４には、フリック操作が行われた日時と、フリック操作が行われた領域の平均座標とが、一つのレコードとして記憶されている。
【００１８】
なお、ここでは、日時の情報によって過去の操作の順番が分かるようにしているが、これに限定されるものではなく、操作履歴情報の登録要求が行われる毎にインクリメントされる番号等を記憶することによって、過去の操作の順番が分かるようにしてもよい。
【００１９】
図３は、本発明の実施の形態における、利用頻度検出部１６に記憶されている表示項目情報を示す図である。利用頻度検出部１６には、表示項目と、表示項目の選択回数とが、一つのレコードとして記憶されている。
【００２０】
なお、ここでは、選択回数を利用頻度を示す指標に用いているが、これに限定されるものではなく、過去に選択された日時、ユーザが設定した優先度等を、利用頻度を示す指標として用いてもよい。
【００２１】
図４は、本発明の実施の形態における、フリック操作が行われた領域の平均座標を記憶するときの処理手順を示すフローチャートである。
【００２２】
操作情報取得部１２は、ユーザの指がタッチパネルに触れると、タッチパネルディスプレイ１１からの信号を受け取り、タッチパネルの押下検出を行い、押下位置の座標を算出し、操作判別部１３に押下位置の座標を通知する（ステップＳ４１）。
【００２３】
次に、操作情報取得部１２は、ユーザの指がタッチパネルから離れると、タッチパネルディスプレイからの信号を受け取り、タッチパネルの解放検出を行い、解放位置の座標を算出し、操作判別部１３に解放位置の座標を通知する（ステップＳ４２）。
【００２４】
次に、操作判別部１３は、操作情報取得部１２から通知された押下位置と解放位置の座標からフリック操作か否かを判別する（ステップＳ４３、Ｓ４４）。
【００２５】
フリック操作でない場合は、操作座標を記憶する必要はないため、何もせずに処理を終了する。
【００２６】
フリック操作である場合は、操作判別部１３はフリック操作の平均座標を算出し、操作履歴記憶部１４に送出する（ステップＳ４５）。そして、操作履歴記憶部１４は、操作判別部１３から受け取ったフリック操作の平均座標を時刻情報と共に記憶する（ステップＳ４６）。
【００２７】
図５は、本発明の実施の形態における、フリック操作の操作履歴情報の平均座標付近に利用頻度の高い表示項目を表示するときの処理手順を示すフローチャートである。
【００２８】
表示制御部１５は、操作履歴記憶部１４から、操作履歴情報を取得する（ステップＳ５１）。
【００２９】
次に、表示制御部１５は、取得した操作履歴情報の平均座標を算出する（ステップＳ５２）。
【００３０】
次に、表示制御部１５は、利用頻度検出部１６から各表示項目の利用頻度を示す情報を含む表示項目情報を取得する（ステップＳ５３）。
【００３１】
次に、表示制御部１５は、表示項目情報を参照し、利用頻度の高い表示項目が操作履歴情報の平均座標に近い位置に表示されるように、表示項目の表示位置を決定し、表示項目を表示する（ステップＳ５４、Ｓ５５）。
【００３２】
例として、操作履歴記憶部１４に図２に示す操作履歴情報が、利用頻度検出部１６に図３に示す表示項目が記憶されているときに、表示項目をリスト形式で表示する場合の表示位置の決定方法を、図６を参照しながら説明する。
【００３３】
図６（ａ）は、リスト形式で表示項目を表示する場合のレイアウトを示す図である。図２の操作履歴情報の平均座標が点６０の位置に求められたとする。点６０に一番目に近い表示項目表示位置は表示位置６５であるため、図３より選択回数が一番目に多い表示項目である「メール」が表示位置６５に表示されるように決定される。次に、点６０に二番目に近い表示項目表示位置は表示位置６６であるため、図３より選択回数が二番目に多い表示項目である「電話」が表示位置６６に表示されるように決定される。残りの表示項目についても同様に表示位置を決定すると、最終的に図６（ｂ）のように決定できる。
【００３４】
以上のように本実施の形態によれば、ユーザが片手で操作している可能性の高いフリック操作のような、タッチパネルディスプレイ上の座標に依存しない操作が行われた領域の近くに、利用頻度の高い表示項目を表示させることにより、ユーザにとって利用頻度の高い表示項目をユーザが片手で操作しているときに選択しやすい位置に配置することができる。
【００３５】
なお、本実施の形態では、表示項目の表示例としてリスト状に配置される場合を示したが、アイコンがグリッド状に配置される形式であっても構わない。また、本実施の形態では、ユーザが選択しやすい位置に表示項目を配置したが、位置だけではなく表示項目の大きさをユーザが選択しやすいように変更するものであっても構わない。
【産業上の利用可能性】
【００３６】
本発明の情報機器は、ユーザが片手で操作しているときの保持状態に合わせて、ユーザが押下しやすい位置にアイコンやリスト等を配置することができるため、タッチパネルディスプレイを備えた携帯電話、携帯端末、通信端末等の情報機器に適用することができる。
【符号の説明】
【００３７】
１１    タッチパネルディスプレイ
１２    操作情報取得部
１３    操作判別部
１４    操作履歴記憶部
１５    表示制御部
１６    利用頻度検出部
【図１】
2014149555.tif 000003
【図２】
2014149555.tif 000004
【図３】
2014149555.tif 000005
【図４】
2014149555.tif 000006
【図５】
2014149555.tif 000007
【図６】
2014149555.tif 000008